【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
入力画像データにおける所定の領域に含まれる各画素の画素値に基づいて、前記出力画像データにおける前記領域において目標とする出力値の合計を表す目標値を取得する目標値取得手段と、
複数の閾値からなる閾値マトリクスを保持する保持手段と、
前記領域に含まれる複数の画素それぞれについて、評価値を決定する評価値決定手段と、
前記目標値と前記複数の評価値に応じて、前記領域に含まれる各画素の出力値を決定する出力値決定手段を有し、
前記評価値決定手段は、前記領域における注目画素の評価値を、前記注目画素の画素値と、前記閾値マトリクスにおいて前記注目画素に対応する閾値とに基づいて決定することを特徴とする画像処理装置。
【請求項２】
前記評価値算出手段は、前記領域に含まれる複数の画素それぞれにおける、ドットを配置されるポテンシャルに関連する値を前記評価値として算出されることを特徴とする請求項１に記載の画像処理装置。
【請求項３】
前記評価値は、画素値が大きいほど、または対応する閾値が小さいほど大きい値となるように算出されることを特徴とする請求項１または２に記載の画像処理装置。
【請求項４】
前記評価値決定手段は、前記領域に含まれる画素について、前記注目画素の画素値と前記注目画素に対応する閾値との差分に基づいて、前記注目画素の評価値を算出することを特徴とする請求項１乃至３の何れか一項に記載の画像処理装置。
【請求項５】
前記評価値決定手段は、前記領域に含まれる画素について、「前記注目画素の画素値−α×前記注目画素に対応する閾値（α≧０）」を前記注目画素の評価値として算出することを特徴とする請求項１乃至３の何れか一項に記載の画像処理装置。
【請求項６】
前記目標値取得手段は、前記領域に含まれる各画素の画素値を平均して得られる平均値に基づいて前記目標値を算出することを特徴とする請求項１乃至５のいずれか一項に記載の画像処理装置。
【請求項７】
前記目標値取得手段は、前記領域に含まれる各画素の画素値の平均値を算出する平均値算出手段と、
前記領域に含まれる各画素の画素値を平均値とみなして閾値マトリクスを用いたディザ処理するディザ処理手段と、
前記ディザ処理手段によるディザ処理結果を集計することにより前記目標値を算出する集計手段を有することを特徴とする請求項１乃至６のいずれか一項に記載の画像処理装置。
【請求項８】
前記目標値取得手段は、前記平均値に対してγ補正した結果に基づいて前記目標値を算出することを特徴とする請求項６に記載の画像処理装置。
【請求項９】
前記出力値決定手段は、前記領域に含まれる画素のうち、前記入力画像データの画素値のレンジの最小値、または最大値である場合には、前記評価値の大きさによらず、出力値を最小値または最大値と決定することを特徴とする請求項１乃至８のいずれか一項に記載の画像処理装置。
【請求項１０】
前記評価値決定手段は、前記領域または前記入力画像データの特徴に応じてαの値を設定することを特徴とする請求項５に記載の画像処理装置。
【請求項１１】
前記評価値決定手段は、前記領域または前記入力画像データがエッジまたは文字を表す特徴を有する場合、前記αの値を１より小さい値に設定することを特徴とする請求項１０に記載画像処理装置。
【請求項１２】
前記評価値決定手段は、前記領域または前記入力画像データが平坦部を表す特徴を有する場合、前記αの値を１より大きい値に設定することを特徴とする請求項１０または１１に記載の画像処理装置。
【請求項１３】
前記出力値決定手段は、前記領域に含まれる複数の画素の評価値それぞれと、前記領域における注目画素の評価値とを比較することにより、前記注目画素の出力値を決定することを特徴とする請求項１乃至１２のいずれか一項に記載の画像処理装置。
【請求項１４】
前記評価値決定手段は、前記保持手段が有する閾値マトリクスから前記領域に対応する閾値群を取得することを特徴とする請求項１乃至１３のいずれか一項に記載の画像処理装置。
【請求項１５】
前記閾値マトリクスはブルーノイズ特性を有し、前記領域よりも大きいサイズのマトリクスであることを特徴とする請求項１乃至１４の何れか一項に記載の画像処理装置。
【請求項１６】
前記出力値決定手段は、０または１の何れかの値を各画素の出力値として決定することを特徴とする請求項１乃至１５に記載の画像処理装置。
【請求項１７】
前記出力値決定手段から出力される各画素の出力値により構成される出力画像データは、記録媒体に画像を形成する画像形成装置が出力可能なデータであり、前記画像形成装置が出力するドットの配置を表すことを特徴とする請求項１６に記載の画像処理装置。
【請求項１８】
前記出力画像データにおいて、０はドットを配置しないことを示し、１はドットを配置することを示す請求項１７に記載の画像処理装置。
【請求項１９】
前記目標値取得手段は、前記領域おいて配置するドットの数を前記目標値として算出することを特徴とする請求項１乃至１８の何れか一項に記載の画像処理装置。
【請求項２０】
前記目標値取得手段は、前記領域に対応する閾値のうち前記閾値より前記平均値の方が大きい画素の数を前記目標値として算出することを特徴とする請求項１９に記載の画像処理装置。
【請求項２１】
さらに、前記領域における複数の画素について、前記評価値の大きい順をドットが優先的に配置される優先順位として決定する優先順位決定手段を有し、
前記出力値決定手段は、前記優先順位が前記目標値以下である画素に対しては、前記出力値としてドットを配置すること示す１を決定し、前記優先順位が前記目標値より大きい画素に対して前記出力値としてドットを配置しないことを示す０を決定することを特徴とする請求項１乃至２０の何れか一項に記載の画像処理装置。
【請求項２２】
入力画像データにおける所定の領域に含まれる各画素の画素値に基づいて、前記出力画像データにおける前記領域において前記出力画像データにおける前記領域において目標とする出力値の合計を表す目標値を取得する目標値取得手段と、
前記所定の領域における各画素の、予め設定された順序を示す情報を保持する保持手段と、
前記領域に含まれる複数の画素それぞれについて、評価値を決定する評価値決定手段と、
前記目標値と前記複数の評価値に応じて、前記領域に含まれる各画素の出力値を決定する出力値決定手段を有し、
前記評価値決定手段は、前記領域における注目画素の評価値を、前記注目画素の画素値と、前記注目画素に対応する順序を示す情報とに基づいて決定することを特徴とする画像処理装置。
【請求項２３】
コンピュータを請求項１乃至２２の何れか一項に記載された画像処理装置として機能させることを特徴とするコンピュータプログラム。
【請求項２４】
入力画像データに対して画像処理する画像処理方法であって、
入力画像データにおける所定の領域に含まれる各画素の画素値に基づいて、前記出力画像データにおける前記領域において目標とする出力値の合計を表す目標値を取得し、
複数の閾値からなる閾値マトリクスのうち、前記所定の領域に対応する閾値群を取得し、
前記領域に含まれる注目画素の画素値と、前記閾値マトリクスにおいて前記注目画素に対応する閾値とに基づいて前記注目画素の評価値を決定することにより、前記領域に含まれる複数の画素について、評価値を決定し、
前記目標値と前記複数の評価値に応じて、前記領域に含まれる各画素の出力値を決定することを特徴とする画像処理方法。
【請求項２５】
入力画像データに対して画像処理する画像処理方法であって、
入力画像データにおける所定の領域に含まれる各画素の画素値に基づいて、前記出力画像データにおける前記領域において目標とする出力値の合計を表す目標値を取得し、
前記所定の領域における各画素の、予め設定された順序を示す情報を読み出し、
前記領域に含まれる注目画素の画素値と、前記注目画素に対応する前記順序を示す情報とに基づいて前記注目画素の評価値を決定することにより、前記領域に含まれる複数の画素について、評価値を決定し、
前記目標値と前記複数の評価値に応じて、前記領域に含まれる各画素の出力値を決定することを特徴とする画像処理方法。
【手続補正２】
【補正対象書類名】明細書
【補正対象項目名】００１０
【補正方法】変更
【補正の内容】
【００１０】
上記課題を解決するため本発明にかかる画像処理装置は、入力画像データにおける所定の領域に含まれる各画素の画素値に基づいて、前記出力画像データにおける前記領域において目標とする出力値の合計を表す目標値を取得する目標値取得手段と、複数の閾値からなる閾値マトリクスを保持する保持手段と、前記領域に含まれる複数の画素それぞれについて、評価値を決定する評価値決定手段と、
前記目標値と前記複数の評価値に応じて、前記領域に含まれる各画素の出力値を決定する出力値決定手段を有し、前記評価値決定手段は、前記領域における注目画素の評価値を、前記注目画素の画素値と、前記閾値マトリクスにおいて前記注目画素に対応する閾値とに基づいて決定することを特徴とする。